(57)【要約】【課題】  ワイヤレス給電とワイヤレスデータ通信を統合的に実現し、ＰｏＥハブとＰｏＥ通信端末を接続するコネクタケーブルが不要なワイヤレス接続アダプタを提供する。【解決手段】  ＬＡＮ側ワイヤレス接続アダプタ２は、ＰｏＥジャック１１に挿入され、ＰｏＥハブ１から受電した電力を、高周波電力生成部２０３，給電デバイス２０５等を介して、端末側ワイヤレス接続アダプタ３へ電力をワイヤレス給電すると共に、変調部２１３，復調部２２２等を介して通信データを授受し、端末側ワイヤレス接続アダプタ３は、ＰｏＥジャック４１に挿入され、ＬＡＮ側ワイヤレス接続アダプタ２からワイヤレス受電すると共に、変調部３１３，復調部３２２等を介して通信データを授受する。【選択図】    図１
2013230058.tif 000002
【特許請求の範囲】
【請求項１】
通信端末へ給電する電力を出力する給電端子と、前記通信端末が入力するデータを出力するデータ出力端子と、前記通信端末が出力するデータを入力するデータ入力端子と、を含む、ＬＡＮに繋がるジャックに挿入するＬＡＮ側ワイヤレス接続アダプタであって、
前記通信端末へ電力をワイヤレスで給電するワイヤレス給電手段と、前記通信端末へデータをワイヤレスで送信するワイヤレスデータ送信手段と、前記通信端末からデータをワイヤレスで受信するワイヤレスデータ受信手段と、を有し、
前記ワイヤレス給電手段は、前記給電端子から受電した電力を変動する磁界または変動する電界に変換し、前記変換した変動する磁界または変動する電界を前記通信端末側へ放出し、前記ワイヤレスデータ送信手段は、前記データ出力端子から入力したデータを、前記ワイヤレス給電手段が変換した変動する磁界または変動する電界に重畳して前記通信端末へ送信し、前記ワイヤレスデータ受信手段は、前記ワイヤレス給電手段を構成する所定のデバイスを流れる電流の電流値変動を検出し、前記検出した電流値変動に含まれている前記通信端末が出力したデータを受信し、前記受信したデータを前記データ入力端子へ出力することを特徴とするＬＡＮ側ジャックに挿入するワイヤレス接続アダプタ。
【請求項２】
通信端末が受電する電力を入力する受電端子と、前記通信端末が出力するデータを出力するデータ出力端子と、前記通信端末が入力するデータを入力するデータ入力端子と、を含む、前記通信端末が備える電気回路と繋がるジャックに挿入する端末側ワイヤレス接続アダプタであって、
電力をワイヤレスで受電するワイヤレス受電手段と、前記通信端末が出力したデータをワイヤレスで送信するワイヤレスデータ送信手段と、前記通信端末が入力するデータをワイヤレスで受信するワイヤレスデータ受信手段と、を有し、
前記ワイヤレス受電手段は、ワイヤレス給電手段を備える機器が放出した変動する磁界または変動する電界から直流電圧を生成し、前記生成した直流電圧を前記受電端子へ出力し、前記ワイヤレスデータ受信手段は、前記変動する磁界または変動する電界に重畳されている前記通信端末へ送信されたデータを抽出し、前記抽出したデータを前記データ入力端子へ出力し、前記ワイヤレスデータ送信手段は、前記ワイヤレス受電手段が受電した電力を所定の可変負荷に印加し、前記データ出力端子から入力する前記通信端末が出力したデータに応じて前記可変負荷の負荷値を変動させることを特徴とする端末側ジャックに挿入するワイヤレス接続アダプタ。
【請求項３】
請求項１または２に記載のワイヤレス接続アダプタであって、
前記ワイヤレス給電手段または前記ワイヤレス受電手段は、特定の周波数で共鳴する磁界共鳴方式に対応していることを特徴とするＬＡＮ側ジャックまたは端末側ジャックに挿入するワイヤレス接続アダプタ。
【請求項４】
請求項３に記載のワイヤレス接続アダプタであって、
前記特定の周波数は、予め定められた複数の周波数のいずれかであって、前記予め定められた複数の周波数の各々は、複数の前記ＬＡＮ側ジャックまたは端末側ジャックのいずれかに対応していることを特徴とするＬＡＮ側ジャックまたは端末側ジャックに挿入するワイヤレス接続アダプタ。
【発明の詳細な説明】
【技術分野】
【０００１】
本発明は、ＬＡＮに繋がるハブが備える給電端子を含むＬＡＮ側ジャックと、受電端子を含む通信端末が備える端末側ジャックに挿入して、ハブと通信端末との間でデータおよび電力を、ワイヤレスで中継するワイヤレス接続アダプタに関する。
【背景技術】
【０００２】
近年、ＬＡＮ（Ｌｏｃａｌ  Ａｒｅａ  Ｎｅｔｗｏｒｋ）側から電力を給電する規格であるＰｏＥ（Ｐｏｗｅｒ  Ｏｖｅｒ  Ｅｔｈｅｒ）規格に準拠したＰｏＥ機器が普及しつつある。ＰｏＥ機器としては、ＬＡＮを構成する有線ケーブルが接続されている給電端子付きジャックを有するＰｏＥハブ、ＰｏＥハブから電力を受電して動作する受電端子付きジャックを有するＰｏＥ通信端末、ＰｏＥハブとＰｏＥ通信端末の間を接続するコネクタケーブルがある。このＰｏＥ規格によれば、通信端末とＬＡＮに繋がるハブの間のデータ授受および電力供給を一本のコネクタケーブルで接続することが可能であり、電源ケーブルやコンセントが不要な分、配線がスッキリする。そして、ＰｏＥ通信端末としては、ＩＰ電話機やＷｅｂカメラ等の通信端末を中心に、普及が進展している。
【０００３】
ただし、各通信端末への電源ケーブルは不要になっても、このＰｏＥハブとＰｏＥ通信端末を接続するコネクタケーブル（通信配線）は依然として残存している。このコネクタケーブルも不要に出来れば、電源配線および通信配線の無い非常にスッキリとしたオフィス環境を実現することができる。このためには、データと電力の両方をワイヤレスで伝達する必要があるが、既存の無線ＬＡＮ技術では電力の伝達は不可である。
【０００４】
これを改善する技術として、電磁波、超音波、共鳴する磁場や電場、レーザー光等を介して、電力をワイヤレスで給電するワイヤレス給電技術がある（例えば、特許文献１）。特許文献１に記載された技術は、携帯電話機のような移動する被電力供給装置へ給電する際に、被電力供給装置の位置情報を取得し、給電側から電力供給可能な範囲内に位置する装置へ無線で電力を供給するワイヤレス給電が可能な無線通信装置に関する。
【０００５】
しかしながら、特許文献１に記載された技術は、携帯電話機をワイヤレスで充電することが目的であり、ワイヤレス給電とワイヤレスデータ通信を別々の方式で実現しており、経済的ではない。
【先行技術文献】
【特許文献】
【０００６】
【特許文献１】特開２００９−２６１１５７号公報
【発明の概要】
【発明が解決しようとする課題】
【０００７】
そこで、本発明の課題は、ワイヤレス給電とワイヤレスデータ通信を統合的に実現し、ＰｏＥハブとＰｏＥ通信端末を接続するコネクタケーブルが不要なワイヤレス接続アダプタを提供することにある。
【課題を解決するための手段】
【０００８】
上記課題を解決するために、本発明によるＬＡＮ側ジャックに挿入するワイヤレス接続アダプタは、通信端末へ給電する電力を出力する給電端子と、前記通信端末が入力するデータを出力するデータ出力端子と、前記通信端末が出力するデータを入力するデータ入力端子と、を含む、ＬＡＮに繋がるジャックに挿入するＬＡＮ側ワイヤレス接続アダプタであって、前記通信端末へ電力をワイヤレスで給電するワイヤレス給電手段と、前記通信端末へデータをワイヤレスで送信するワイヤレスデータ送信手段と、前記通信端末からデータをワイヤレスで受信するワイヤレスデータ受信手段と、を有し、前記ワイヤレス給電手段は、前記給電端子から受電した電力を変動する磁界または変動する電界に変換し、前記変換した変動する磁界または変動する電界を前記通信端末側へ放出し、前記ワイヤレスデータ送信手段は、前記データ出力端子から入力したデータを、前記ワイヤレス給電手段が変換した変動する磁界または変動する電界に重畳して前記通信端末へ送信し、前記ワイヤレスデータ受信手段は、前記ワイヤレス給電手段を構成する所定のデバイスを流れる電流の電流値変動を検出し、前記検出した電流値変動に含まれている前記通信端末が出力したデータを受信し、前記受信したデータを前記データ入力端子へ出力することを特徴とする。
【０００９】
また、本発明による端末側ジャックに挿入するワイヤレス接続アダプタは、通信端末が受電する電力を入力する受電端子と、前記通信端末が出力するデータを出力するデータ出力端子と、前記通信端末が入力するデータを入力するデータ入力端子と、を含む、前記通信端末が備える電気回路と繋がるジャックに挿入する端末側ワイヤレス接続アダプタであって、電力をワイヤレスで受電するワイヤレス受電手段と、前記通信端末が出力したデータをワイヤレスで送信するワイヤレスデータ送信手段と、前記通信端末が入力するデータをワイヤレスで受信するワイヤレスデータ受信手段と、を有し、前記ワイヤレス受電手段は、ワイヤレス給電手段を備える機器が放出した変動する磁界または変動する電界から直流電圧を生成し、前記生成した直流電圧を前記受電端子へ出力し、前記ワイヤレスデータ受信手段は、前記変動する磁界または変動する電界に重畳されている前記通信端末へ送信されたデータを抽出し、前記抽出したデータを前記データ入力端子へ出力し、前記ワイヤレスデータ送信手段は、前記ワイヤレス受電手段が受電した電力を所定の可変負荷に印加し、前記データ出力端子から入力する前記通信端末が出力したデータに応じて前記可変負荷の負荷値を変動させることを特徴とする。
【発明の効果】
【００１０】
本発明によれば、ワイヤレス給電とワイヤレスデータ通信を統合的に実現できるので、ＰｏＥハブとＰｏＥ通信端末を接続するコネクタケーブルが不要なワイヤレス接続アダプタを経済的に提供することができる。
【図面の簡単な説明】
【００１１】
【図１】本発明によるワイヤレス接続アダプタの内部ブロック構成図
【図２】本発明によるＬＡＮ側ワイヤレス接続アダプタの動作フローチャート図
【図３】本発明による端末側ワイヤレス接続アダプタの動作フローチャート図
【発明を実施するための形態】
【００１２】
以下、図面を使って本発明の実施形態を説明する。図１は、本発明によるＬＡＮ側ジャックと端末側ジャックに挿入するワイヤレス接続アダプタの内部ブロック構成図である。また、ワイヤレス接続アダプタと関連の装置との接続関係も示す。
【００１３】
図１において、１はＰｏＥハブ、２は本発明によるＬＡＮ側ワイヤレス接続アダプタ、３は本発明による端末側ワイヤレス接続アダプタ、４はＰｏＥ給電を受け動作するＰｏＥ通信端末（例えば、ＩＰ電話機  や  Ｗｅｂカメラ）、５はＬＡＮ（有線）である。
【００１４】
図示しないが、通常のコネクタケーブルによる接続の場合、ＰｏＥプラグ２０１とＰｏＥプラグ３０１の間は有線ケーブルで繋がる。即ち、ＬＡＮ側ワイヤレス接続アダプタ２と端末側ワイヤレス接続アダプタ３は、本来、コネクタケーブル（有線）と接続されるＰｏＥジャック１１とＰｏＥジャック４１に挿入するアダプタである。
【００１５】
ＰｏＥハブ１は、例えば有線ＬＡＮケーブルで通信端末の電力を供給する為のＩＥＥＥ８０２．３ａｆ規格に対応するＰｏＥ給電機能を有するスイッチングハブである。商用電源からの交流１００Ｖ（図示せず）を受電して動作し、ＰｏＥジャック１１およびＰｏＥプラグ２０１を介して、ＬＡＮ５とＬＡＮ側ワイヤレス接続アダプタ２との間で通信データを中継すると共に、所定の直流電圧でＬＡＮ側ワイヤレス接続アダプタ２へ給電する。
【００１６】
ＬＡＮ側ワイヤレス接続アダプタ２は、ＰｏＥジャック１１およびＰｏＥプラグ２０１を介してＰｏＥハブ１から受電する電力で動作すると共に、受電した電力により、ワイヤレス給電するための変動電磁界（変動する磁界または変動する電界）を生成し、前記生成した変動電磁界をＰｏＥ通信端末４側の端末側ワイヤレス接続アダプタ３へ放出する。また、前記ワイヤレス給電の変動電磁界を介して、ＰｏＥハブ１と端末側ワイヤレス接続アダプタ３の間で通信データを中継する（詳細は後述する）。
【００１７】
以下、ＬＡＮ側ワイヤレス接続アダプタ２の内部ブロック構成について説明する。
【００１８】
ＰｏＥプラグ２０１は、ＰｏＥハブ１のＬＡＮ側ジャックであるＰｏＥジャック１１へ挿入するプラグであり、電力および通信データを伝達する複数の端子が含まれている。
【００１９】
ＰｏＥ受電部２０２は、ＰｏＥプラグ２０１の電力受電端子に入力されたＰｏＥハブ１からの直流電圧を高周波電力生成部２０３へ出力すると共に、装置内の各部へ所定の電圧を供給する。
【００２０】
高周波電力生成部２０３は、ＰｏＥ受電部２０２より送られてきた直流電圧を高周波電力（例えば、１３．５６ＭＨｚ）に変換する手段である。
【００２１】
マッチング回路部２０４は、高周波電力生成部２０３で生成された高周波電力をワイヤレス給電するためのマッチング回路である。
【００２２】
給電デバイス２０５は、給電用のコイルを含むデバイスであって、高周波電力により変動電磁界を生成し、端末側ワイヤレス接続アダプタ３側へ生成した変動電磁界を放出する。
【００２３】
ＬＡＮデータ入力部２１１は、ＰｏＥプラグ２０１のＬＡＮデータ入力端子に入力したＬＡＮデータ（ＬＡＮ５側からＰｏＥ通信端末４側への通信データ）を送信バッファ２１２へ出力すると共に、ＬＡＮデータを受信したことを中継制御部２３１へ通知する。
【００２４】
送信バッファ２１２は、受信したＬＡＮデータを一時的に蓄積し、変調部２１３他を介して、端末側ワイヤレス接続アダプタ３側へＬＡＮデータを、中継制御部２３１と連携したフロー制御により、適宜、出力する。
【００２５】
変調部２１３は、中継制御部２３１からの指示を受けて、送信バッファ２１２に蓄積されたＬＡＮデータをＰＳＫ（Ｐｈａｓｅ  Ｓｈｉｆｔ  Ｋｅｙｉｎｇ）変調し、マッチング回路部２０４から出力される高周波電力に重畳する。なお、変調方式としては、ＰＳＫ以外の変調方式であってもよい。
【００２６】
電流変動検出部２２１は、給電デバイス２０５に流入する高周波電力を監視し、端末側ワイヤレス接続アダプタ３内の可変負荷３２１の負荷変動に起因する電流値の変動を検出し、その電流値変動の信号を復調部２２２へ出力する。なお、電流値変動の信号は、例えば、ＦＳＫ（Ｆｒｅｑｕｅｎｃｙ  Ｓｈｉｆｔ  Ｋｅｙｉｎｇ）された信号であって、電流値変動の周波数がｆ０，ｆ１の２値であって、そのｆ０，ｆ１がデジタル信号の０と１に対応している。
【００２７】
復調部２２２は、電流変動検出部２２１から入力した信号をＰｏＥ通信端末４が送信した端末データ（ＰｏＥ通信端末４側からＬＡＮ５側への通信データ）に復号し、受信バッファ２２３へ出力すると共に、端末データを受信したことを中継制御部２３１へ通知する。
【００２８】
受信バッファ２２３は、受信した端末データを一時的に蓄積し、中継制御部２３１と連携したフロー制御により、適宜、ＰｏＥハブ１側へ、端末データを出力する。
【００２９】
端末データ出力部２２４は、受信バッファ２２３に蓄積された端末データを、ＰｏＥプラグ２０１の端末データ出力端子を介して、ＰｏＥハブ１へ端末データを伝達する。
【００３０】
中継制御部２３１は、ＬＡＮ側ワイヤレス接続アダプタ２内の各部を制御し、ＬＡＮデータおよび端末データの中継に係る制御を実行する。ＬＡＮ側ワイヤレス接続アダプタ２の動作フローについては後で説明する。
【００３１】
端末側ワイヤレス接続アダプタ３は、ＬＡＮ側ワイヤレス接続アダプタ２からワイヤレス給電された電力で動作すると共に、ＰｏＥプラグ３０１およびＰｏＥジャック４１を介して、電力をＰｏＥ通信端末４へ供給する。また、前記ワイヤレス給電の変動電磁界を介して、ＬＡＮ側ワイヤレス接続アダプタ２とＰｏＥ通信端末４の間で通信データを中継する（詳細は後述する）。
【００３２】
以下、端末側ワイヤレス接続アダプタ３の内部ブロック構成について説明する。
【００３３】
ＰｏＥプラグ３０１は、ＰｏＥ通信端末４の端末側ジャックであるＰｏＥジャック４１へ挿入するプラグであり、電力および通信データを伝達する複数の端子が含まれている。
【００３４】
ＰｏＥ給電部３０２は、直流変換部３０３が変換した直流電圧で、ＰｏＥプラグ３０１の電力給電端子を介して、ＰｏＥ通信端末４へ電力を給電する。また、ＰｏＥプラグ３０１に接続されたＰｏＥ通信端末４がＰｏＥ対応の通信端末が接続されているのかどうか、更に、ＰｏＥプラグ３０１に接続されたＰｏＥ通信端末４の最大消費電力クラスを検知する。
【００３５】
直流変換部３０３は、受電デバイス３０５が受取った高周波変動電磁界から生成された高周波電力を所定の直流電圧に変換し、ＰｏＥ給電部３０２へ出力すると共に、装置内の各部へ所定の電圧を供給する。
【００３６】
マッチング回路部３０４は、受電デバイス３０５により高周波変動電磁界から生成された高周波電力を受電するためのマッチング回路である。
【００３７】
受電デバイス３０５は、受電用のコイルを含むデバイスであって、受取った高周波変動電磁界により高周波電力を生成する。
【００３８】
端末データ入力部３１１は、ＰｏＥプラグ３０１の端末データ入力端子に入力した端末データを送信バッファ３１２へ出力すると共に、端末データを受信したことを中継制御部３３１へ通知する。
【００３９】
送信バッファ３１２は、受信した端末データを一時的に蓄積し、中継制御部３３１と連携したフロー制御により、適宜、ＬＡＮ側ワイヤレス接続アダプタ２側へ端末データを出力する。
【００４０】
変調部３１３は、中継制御部３３１からの指示を受けて、送信バッファ３１２に蓄積された端末データをＦＳＫ変調し、可変負荷３２１へ出力する。なお、変調方式はＦＳＫ以外であってもよい。
【００４１】
可変負荷３２１は、ワイヤレス受電した電力が印加され、変調部３１３から入力した変調信号に応じて負荷値を変動する。すると、ワイヤレス給電側であるＬＡＮ側ワイヤレス接続アダプタ２の給電デバイス２０５を流れる電流値が可変負荷３２１の負荷値変動に連動して変動し、端末データをＬＡＮ側ワイヤレス接続アダプタ２へ伝達することができる。なお、可変負荷３２１は、例えば、電界効果トランジスタＦＥＴ（Ｆｉｅｌｄ  Ｅｆｆｅｃｔ  Ｔｒａｎｓｉｓｔｏｒ）であって、ゲート電極に印加する電圧を制御することにより、ソース端子とドレイン端子間の抵抗値（負荷）を電子的に制御できる。
【００４２】
復調部３２２は、入力する高周波電力に重畳（ＰＳＫ変調）されたＬＡＮデータを復調して、ＬＡＮ５側からのＬＡＮデータを抽出し、受信バッファ３２３へ出力すると共に、中継制御部３３１へＬＡＮデータを受信したことを通知する。
【００４３】
受信バッファ３２３は、受信したＬＡＮデータを一時的に蓄積し、中継制御部３３１と連携したフロー制御により、適宜、ＬＡＮデータ出力部３２４へＬＡＮデータを出力する。
【００４４】
ＬＡＮデータ出力部３２４は、受信バッファ３２３に蓄積されたＬＡＮデータを、ＰｏＥプラグ３０１のＬＡＮデータ出力端子を介して、ＰｏＥ通信端末４へＬＡＮデータを出力する。
【００４５】
中継制御部３３１は、端末側ワイヤレス接続アダプタ３内の各部を制御し、通信データの中継に係る制御を実行する。端末側ワイヤレス接続アダプタ３の動作フローについては後で説明する。
【００４６】
ところで、ＰｏＥ通信端末４は、端末側ワイヤレス接続アダプタ３からＰｏＥ給電を受け動作する、ＩＰ電話機  や  Ｗｅｂカメラ等の通信端末であって、例えば有線ＬＡＮケーブルで端末へ電力を供給する為のＩＥＥＥ８０２．３ａｆ規格に準拠した端末である。ＰｏＥジャック４１は、端末側ワイヤレス接続アダプタ３のＰｏＥプラグ３０１が挿入されるジャックであって、電力および通信データを伝達する複数の端子が収容されてる。
【００４７】
ＰｏＥ通信端末４は、一般的な利用方法であれば、ＰｏＥハブ１とコネクタケーブル（有線）で接続して利用するように設計された通信端末である。
【００４８】
図２および図３は、本発明によるＬＡＮ側および端末側ワイヤレス接続アダプタの動作フローチャート図である。
【００４９】
図１を併用しながら図２により、ＬＡＮ側ワイヤレス接続アダプタ２の動作フローを説明する。本フローチャート図は、ＬＡＮ側ワイヤレス接続アダプタ２のＰｏＥプラグ２０１が、ＰｏＥハブ１のＰｏＥジャック１１に接続された時にスタートする（Ｓ２００）。
【００５０】
ＰｏＥ受電部２０２は、ＬＡＮ側ワイヤレス接続アダプタ２が正しく動作でき、かつワイヤレス接続アダプタに端末側ワイヤレス接続アダプタ３が必要とするだけの電力がＰｏＥ受電で得られえるかどうかを判断する（Ｓ２１０）。
【００５１】
ＰｏＥ受電部２０２が必要十分な電力をＰｏＥ受電していると判断した場合（Ｓ２１０，ＹＥＳ）、ＰｏＥ受電部２０２は、高周波電力生成部２０３に対してＰｏＥ受電した電力からアダプタ内部で使用される電力を除いた分の電力を供給し、高周波電力への変換を許可し、更に変換・生成された高周波電力は、マッチング回路部２０４、変調部２１３、電流変動検出部２２１を経由して給電デバイス２０５に伝達し、端末側ワイヤレス接続アダプタ３へのワイヤレス給電を開始する（Ｓ２１１）。
【００５２】
ＰｏＥ受電部２０２が必要十分なＰｏＥ受電を得られると判断できない場合（Ｓ２１０，ＮＯ）は、ＰｏＥ受電の能力の判定を繰り返す。
【００５３】
端末側ワイヤレス接続アダプタ３へのワイヤレス給電を開始した後は、ＬＡＮデータ入力部２１１が、ＰｏＥハブ１からのＬＡＮデータを受信したかどうかを判定する（Ｓ２２０）。ＰｏＥハブ１からのＬＡＮデータ受信があるならば（Ｓ２２０，ＹＥＳ）、ＬＡＮデータ入力部２１１は送信バッファ２１２にＬＡＮデータを転送し、送信バッファ２１２はＬＡＮデータを蓄積する（Ｓ２２１）。同時に、ＬＡＮデータ入力部２１１は、その時に新たなＬＡＮデータを受信したことを中継制御部２３１へ通知する。
【００５４】
ＬＡＮデータを受信したことを通知された中継制御部２３１は、復調部２２２の状態が端末側ワイヤレス接続アダプタ３からの端末データを受信中であるかどうかを監視する（Ｓ２２２）。
【００５５】
端末側ワイヤレス接続アダプタ３からの端末データを受信中でなければ（Ｓ２２２，ＮＯ）中継制御部２３１は、変調部２１３に対して、送信バッファ２１２に蓄積されたＬＡＮデータを取り出して処理することを通知し、変調部２１３は通知に従い該当のＬＡＮデータを高周波電力に重畳（変調）し、重畳されたＬＡＮデータを含む高周波電力が、給電デバイス２０５に流入し、端末側ワイヤレス接続アダプタ３へのワイヤレス給電と共にＬＡＮデータを送信する（Ｓ２２３）。なお、この際、ＬＡＮデータを含む高周波電力は電流変動検出部２２１を経由するので、ＬＡＮデータによる電流値変動が発生する可能性があるが、通信データのフロー制御に応じて、ＬＡＮデータの送信時には復調部２２２の復調動作を中継制御部２３１が停止するので、その電流値変動が復調部２２２に入力しても問題は無い。
【００５６】
端末側ワイヤレス接続アダプタ３からの端末データ受信中ならば（Ｓ２２２，ＹＥＳ）端末データ受信中でなくなるまで待つ。ＬＡＮデータ入力部２１１が、ＰｏＥハブ１からのＬＡＮデータの受信がないと判定したならば（Ｓ２２０，ＮＯ）、ＬＡＮデータ入力部２１１は、そのことを中継制御部２３１へ通知する。
【００５７】
すると、中継制御部２３１は復調部２２２を監視し、端末側ワイヤレス接続アダプタ３からの端末データ受信、即ち、電流変動検出部２２１により、ワイヤレス給電の電流変動を検出し、端末側ワイヤレス接続アダプタ３側からの端末データを受信したかどうかを監視する（Ｓ２３０）。
【００５８】
なお、端末側ワイヤレス接続アダプタ３側からの端末データの受信と端末側ワイヤレス接続アダプタ３側へのＬＡＮデータの送信を同時に実行する場合は、この時、変調部２１２にて重畳された送信ＬＡＮデータによる発生した電流変動の成分を相殺して、端末データによる電流変動成分のみを復調部２２２へ入力するようにすればよい。
【００５９】
電流変動検出部２２１が、端末データ受信による電流変動を検出したならば（Ｓ２３０，ＹＥＳ）、その電流変動を復調部２２２に伝え、復調部２２２はその電流変動を端末データ受信が完了するまで復調し、復調した端末データを受信バッファ２２３へ転送する。同時に、復調部２２２は、端末アダプタ側から端末データを受信したことを中継制御部２３１へ通知する。受信バッファ２２３に端末データが蓄積されたならば、端末データ出力部２２４は、該当の端末データを受信バッファ２２３から取り出し、ＰｏＥハブ１側へ出力し（Ｓ２３１）、Ｓ２１０に戻る。電流変動検出部２２１が、端末データを含む電流変動を検出しなかったならば（Ｓ２３０，ＮＯ）、Ｓ２１０に戻る。
【００６０】
次に、図１を併用しながら図３により、端末側ワイヤレス接続アダプタ３の動作フローを説明する。本フローチャート図は、端末側ワイヤレス接続アダプタ３のＰｏＥプラグ３０１が、ＰｏＥ通信端末４のＰｏＥジャック４１に接続された時にスタートする（Ｓ３００）。
【００６１】
まず、受電デバイス３０５は、端末側ワイヤレス接続アダプタ３が正しく動作できる電力がワイヤレス受電で得られえるかどうかを判断する（Ｓ３１０）。
【００６２】
端末側ワイヤレス接続アダプタ３が正しく動作できる電力が得られていると判断されたならば（Ｓ３１０，ＹＥＳ）、ＰｏＥ給電部３０２は、受電デバイス３０５が受電した高周波電力を直流変換部３０３により直流変換（ＡＣ→ＤＣ）した電力を使って、ＰｏＥ通信端末４に対して次の確認を行う。
【００６３】
ＰｏＥ給電部３０２は、ＰｏＥプラグ３０１に接続されたＰｏＥ通信端末４が、ＰｏＥに対応の通信端末なのかどうか、また、ＰｏＥ通信端末４の最大消費電力クラスがＰｏＥ給電部３０２から供給可能な電力の範囲内にあるのかどうかを確認する（Ｓ３２０）。
【００６４】
ＰｏＥ通信端末４の最大消費電力クラスが、ＰｏＥ給電部３０２の供給可能電力の範囲内であると判定された場合に（Ｓ３２０，ＹＥＳ）、ＰｏＥ給電部３０２は、ＰｏＥ通信端末４に対して、ＰｏＥ給電を開始する（Ｓ３２１）。
【００６５】
受電デバイス３０５には端末側ワイヤレス接続アダプタ３が正しく動作できる電力が得られていないと判定された時（Ｓ３１０，ＮＯ）および、ＰｏＥ通信端末４の最大消費電力クラスが、ＰｏＥ給電部３０２の供給可能電力の範囲内でないと判定された時（Ｓ３２０，ＮＯ）、Ｓ３１０に戻って、受電デバイス３０５で適正な電力がワイヤレス給電で得られているどうかの確認を繰り返す。
【００６６】
ＰｏＥ通信端末４へのＰｏＥ給電を開始した後は、端末データ入力部３１１が、ＰｏＥ通信端末４からの端末データを受信したかどうかを判定する（Ｓ３３０）。ＰｏＥ通信端末４からの端末データ受信があるならば（Ｓ３３０，ＹＥＳ）、端末データ入力部３１１は送信バッファ３１２に端末データを転送し、送信バッファ３１２は端末データを蓄積する（Ｓ３３１）。同時に、端末データ入力部３１１は、その時に新たな端末データを受信したことを中継制御部３３１へ通知する。
【００６７】
端末データを受信したことを通知された中継制御部３３１は、復調部３２２の状態がＬＡＮ側ワイヤレス接続アダプタ２からのＬＡＮデータ受信中であるかどうかを監視する（Ｓ３３２）。
【００６８】
ＬＡＮ側ワイヤレス接続アダプタ２からのＬＡＮデータ受信中でなければ（Ｓ３３２，ＮＯ）中継制御部３３１は、変調部３１３に対して、送信バッファ３１２に蓄積された端末データを取り出して処理することを通知し、変調部３１３は通知に従い該当の端末データをＦＳＫ変調し、変調信号を可変負荷３２１へ出力する。可変負荷３２１はＦＳＫ変調信号に連動した負荷変動を発生させる（すなわちＬＡＮ側ワイヤレス接続アダプタ２側に電流変動を発生させる）ことにより、受電する高周波電力に対して端末データを重畳（変調）し、ＬＡＮ側ワイヤレス接続アダプタ２へ端末データを送信し（Ｓ３３３）端末データ入力部３１１は、そのことを中継制御部３３１へ通知し、中継制御部３３１は復調部３２２を監視してＬＡＮ側ワイヤレス接続アダプタ２からのＬＡＮデータ受信を待ち構える（Ｓ３４０）。
【００６９】
ＬＡＮ側ワイヤレス接続アダプタ２からのＬＡＮデータ受信中ならば（Ｓ３３２，ＹＥＳ）ＬＡＮ側ワイヤレス接続アダプタ２からのＬＡＮデータ受信中でなくなるまで待つ。
【００７０】
端末データ入力部３１１が、ＰｏＥ通信端末４からの端末データ受信がないと判定したならば（Ｓ３３０，ＮＯ）、端末データ入力部３１１は、そのことを中継制御部３３１へ通知し、中継制御部３３１は復調部３２２を監視してＬＡＮ側ワイヤレス接続アダプタ２からのＬＡＮデータ受信を待ち構える（Ｓ３４０）。
【００７１】
復調部３２２は、受電デバイス３０５で受電し、マッチング回路３０４、可変負荷３２１を経て復調部３２２へ入力された高周波電力に重畳（変調）されたＬＡＮデータの受信を検出したならば（Ｓ３４０，ＹＥＳ）、そのＬＡＮデータ受信が完了するまで復調して、受信バッファ３２３へ転送する。同時に、復調部３２２は、ＬＡＮ側ワイヤレス接続アダプタ２側からＬＡＮデータを受信したことを中継制御部３３１へ通知する。
【００７２】
受信バッファ３２３にＬＡＮデータが蓄積されたならば、ＬＡＮデータ出力部３２４は、該当のＬＡＮデータを受信バッファ３２３から取り出し、ＰｏＥ通信端末４側へ出力し（Ｓ３４１）、Ｓ３１０に戻り以上の処理を繰り返す。
【００７３】
復調部３２２が高周波電力に重畳（変調）されたＬＡＮデータの受信を検出しなかったならば（Ｓ３４０，ＮＯ）、Ｓ３１０に戻り以上の処理を繰り返す。
【００７４】
以上、本発明の実施形態の一例を説明した。本発明によれば、ワイヤレス給電とワイヤレスデータ通信を統合的に実現できるので、ＰｏＥハブとＰｏＥ通信端末を接続するコネクタケーブルが不要なワイヤレス接続アダプタを経済的に提供することができる。
【００７５】
説明した実施形態において、ワイヤレス給電の方式として、電磁結合型、電界結合型、および、特定の周波数で共鳴する磁界共鳴方式の各種ワイヤレス給電技術の一般が適用可能である。
【００７６】
なお、図１において、図示しなかったが、一つのＬＡＮ側ワイヤレス接続アダプタ２に対して、複数の端末側ワイヤレス接続アダプタ３を対応させてもよい。この場合、特定の周波数で共鳴する磁界共鳴方式によるワイヤレス給電方式において、複数の予め定められた周波数を複数の端末側ワイヤレス接続アダプタ３を対応させれば、ワイヤレス給電およびワイヤレスデータ伝達の混信を回避できる。この結果、複数のワイヤレス接続アダプタを近隣で同時に利用する事が可能となり、同一のＰｏＥハブに、複数のＬＡＮ側ワイヤレス接続アダプタを挿入して利用することも可能となる。
【符号の説明】
【００７７】
１・・・ＰｏＥハブ
２・・・ＬＡＮ側ワイヤレス接続アダプタ
３・・・端末側ワイヤレス接続アダプタ
４・・・ＰｏＥ通信端末
５・・・ＬＡＮ
１１・・・ＰｏＥジャック
４１・・・ＰｏＥジャック
２０１・・・ＰｏＥプラグ
２０２・・・ＰｏＥ受電部
２０３・・・高周波電力生成部（ＤＣ→ＡＣ）
２０４・・・マッチング回路部
２０５・・・給電デバイス
２１１・・・ＬＡＮデータ入力部
２１２・・・送信バッファ
２１３・・・変調部（ＰＳＫ）
２２１・・・電流変動検出部
２２２・・・復調部（ＦＳＫ）
２２３・・・受信バッファ
２２４・・・端末データ出力部
２３１・・・中継制御部
３０１・・・ＰｏＥプラグ
３０２・・・ＰｏＥ給電部
３０３・・・直流変換部（ＡＣ→ＤＣ）
３０４・・・マッチング回路部
３０５・・・受電デバイス
３１１・・・端末データ入力部
３１２・・・送信バッファ
３１３・・・変調部（ＦＳＫ）
３２１・・・可変負荷
３２２・・・復調部（ＰＳＫ）
３２３・・・受信バッファ
３２４・・・ＬＡＮデータ出力部
３３１・・・中継制御部
【図１】
2013230058.tif 000003
【図２】
2013230058.tif 000004
【図３】
2013230058.tif 000005